(57)【要約】  本発明は、物体の画像を取込みかつ表示するための装置、特に、デジタル双眼鏡（１）、デジタルカメラ（１４）、またはデジタルビデオカメラに関する。装置は、物体に関するメタ情報（１０，２０）、特に地理データ、および／または、風景や山脈もしくは建物の名前、植物や動物の名前を含む要素を有するデータベースを含むデジタル記憶媒体（２４，２７）と、比較装置（３３）と、画像取込装置（２，１５）において取込まれた物体の関数として比較装置（３３）によって選択されたメタ情報（１０，２０）を画像表示装置（３，１６）内に重ね合わせるための重ね合わせ装置（３４）とを備える。本発明は、さらに、そのような装置から画像を取込んで表示するための方法に関する。
2013511870.tif 000002
【特許請求の範囲】
【請求項１】
物体の画像を取込みかつ表示するための装置、特にデジタル双眼鏡（１）、デジタルカメラ（１４）、またはデジタルビデオカメラであって、前記装置は、
物体についてのメタ情報（１０，２０）、特に、地理データ、および／または、風景や山脈もしくは建物の名前、または植物や動物の名前を含む要素を有するデータベースを含むデジタル記憶媒体（２４，２７）と、
比較装置（３３）と、
画像取込装置（２，１５）において取込まれた物体の関数として前記比較装置（３３）によって選択されたメタ情報（１０，２０）を画像表示装置（３，１６）内に重ね合わせるための重ね合わせ装置（３４）とを備える、装置。
【請求項２】
前記比較装置（３３）は、前記画像取込装置（２，１５）から物体の画像を受信するとともに、物体の受信画像から、たとえば物体の輪郭のような物体に関する情報、および／または、物体の特性に関する特徴を判定する判定装置を含む、請求項１に記載の装置。
【請求項３】
比較装置（３３）は、前記取込まれた物体の構造情報と前記データベースの要素との比較を実行するとともに、比較が一致した場合には、識別された物体に関する少なくともメタ情報（１０，２０）を、前記重ね合わせ装置（３４）へ伝達する、先行する請求項のいずれか１つに記載の装置。
【請求項４】
ユニットは、データベースが記憶された外部デジタル記憶媒体（２７）を接続するためのインターフェース（２６）を含む、先行する請求項のいずれか１つに記載の装置。
【請求項５】
ユニットは、フラッシュメモリセル（２８）を含む、先行する請求項のいずれか１つに記載の装置。
【請求項６】
前記装置は、ＧＰＳ装置（２９，３０）、または内部ＧＰＳ装置のための接続を含む、先行する請求項のいずれか１つに記載の装置。
【請求項７】
前記装置は、遠隔データ送信装置（３１）、特に、インターネット接続を含み、
前記装置は、インターネットサーバとのインターネット接続を確立するとともにインターネット接続を終了するための装置を含む、先行する請求項のいずれか１つに記載の装置。
【請求項８】
前記装置は、移動無線リンクを確立および終了するための装置（３１）を含む、先行する請求項のいずれか１つに記載の装置。
【請求項９】
前記装置は、前記メタ情報（１０，２０）とともに画像を記憶するための装置を含む、先行する請求項のいずれか１つに記載の装置。
【請求項１０】
前記比較装置（３３）は、チップ上のソフトウウェアとして前記装置内に記憶され、データ処理装置（３２）を通して実行される、先行する請求項のいずれか１つに記載の装置。
【請求項１１】
前記比較装置（３３）は、人認識または指紋比較のためのソフトウェアを含む、請求項１０に記載の装置。
【請求項１２】
装置、特にデジタル双眼鏡（１）、デジタルカメラ（１４）、またはデジタルビデオカメラからの画像を取込んで表示するための方法であって、
物体、特に風景、山、建物、植物、または動物の画像を取込むステップと、
たとえば前記物体の輪郭のような前記取込まれた物体に関する構造情報、および／または、前記物体の特性に関する特徴を判定するステップと、
前記取込まれた物体に関する前記判定された構造情報を、名称および／または地理データのような、物体に関するメタ情報（１０，２０）を含む要素を含むデータベースからの要素と比較するステップと、
比較が一致した場合に、前記データベースから、認識された物体に関する予め定められたメタ情報（１０，２０）を取得するステップと、
前記データベースからの前記メタ情報（１０，２０）を、画像表示装置（３，１６）に転送するステップと、
前記画像表示装置（３，１６）上に、前記取込まれた物体を前記メタ情報（１０，２０）とともに重ね合わせるステップとを備える、方法。
【請求項１３】
前記メタ情報（１０，２０）を、前記画像表示装置（３，１６）上の特定の場所にテキスト形式で重ね合わせるステップをさらに備える、請求項１２に記載の方法。
【請求項１４】
前記画像表示装置（３，１６）上で、前記識別された物体上または前記識別された物体に近接して、テキスト形式で前記メタ情報（３，１６）を重ね合わせるステップをさらに備える、請求項１２に記載の方法。
【請求項１５】
一旦識別された物体に関する前記データベースからの要素が、永久的に、特に前記装置がスイッチオフされるまで提供されるように、フラッシュメモリ（２８）内に前記データベースの前記識別された要素を記憶するステップをさらに備える、請求項１２〜１４のいずれか１項に記載の方法。
【請求項１６】
前記装置の移動の間または前記物体の移動の間、テキストとしての前記メタ情報（１０，２０）が、表示画像上の前記物体とともに移動するように、前記メタ情報（１０，２０）は、前記データベースから前記識別された物体へ永久的に提供される、請求項１５に記載の方法。
【請求項１７】
表示画像を記憶するステップをさらに備え、
前記識別された物体の前記メタ情報（１０，２０）も記憶される、先行する請求項１２〜１６のいずれか１項に記載の方法。
【請求項１８】
インターネット接続を確立および終了するとともに、強力なインターネットサーバ上のデータベースの要素を用いて前記構造情報を判定および／または比較するステップをさらに備える、先行する請求項１２〜１７のいずれか１項に記載の方法。
【発明の詳細な説明】
【技術分野】
【０００１】
本発明は、物体の画像を取込むとともに表示するための装置に関し、特に、デジタル双眼鏡、デジタルカメラ、または、デジタルビデオカメラに関する。本発明は、さらに、装置の画像を取込みおよび表示するための方法に関する。
【背景技術】
【０００２】
デジタルカメラおよびデジタルビデオカメラは、非常に良好な品質で画像およびビデオを取込むための多くの機能およびオプションを有する。その中には、たとえば、オートフォーカスや、環境に適応させるための自動露出時間および自動絞りがある。ポートレート写真、風景写真、または夜景写真などのための調整を実行するために、カメラに設けられ、装置のディスプレイの実画像上に重ね合わされた押しボタンをユーザが操作することができるデジタルメニューが設けられる。
【発明の概要】
【発明が解決しようとする課題】
【０００３】
カメラが、たとえば、日付および時間、フォーカスおよび絞り値設定、露出時間、フラッシュ、ならびにサムネール画像のような取込パラメータを記憶することができることは、従来の装置に対する現代のデジタルカメラまたはデジタルビデオカメラの利点である。この目的のために、複数のファイル形式が開発され、ほとんどすべてのデジタルカメラは、Ｅｘｉｆ規格に従って動作することが可能である。
【０００４】
本発明の目的は、より広範な機能性を与える、物体の画像を取込みおよび表示するための装置を提供することである。
【課題を解決するための手段】
【０００５】
目的は、請求項１に従う特徴を有する、物体の画像を取込みおよび表示するための装置を通して達成される。
【０００６】
本発明の核となるアイデアは、画像取込装置および画像表示装置を含む物体の画像を取込みおよび表示するための装置、特に、デジタル双眼鏡、デジタルカメラ、またはデジタルビデオカメラを提供することであり、それらは、物体に関するメタ情報を有する要素を伴うデータベースを有するデジタル記憶媒体と、比較装置と、画像取込装置において取込まれた物体の関数として比較装置によって選択されたメタ情報についての画像表示装置への重ね合わせ装置とを含む。
【０００７】
本発明の利点は、取込まれた物体のメタ情報が、リアルタイムに実際に提供され、かつ物体の実画像に重ね合わせられることである。
【０００８】
風景、山、建物、または類似の目標物体の画像については、メタ情報は、たとえば、「ツークシュピッツェ」のような取込まれた物体の名称または地理データを含む。植物や動物の画像においては、メタ情報は特に取込まれた物体の名称を含む。
【０００９】
本発明の有利な実施形態は、従属請求項に記載の特徴によって特徴付けられる。
本発明の一実施形態においては、比較装置は、画像取得装置から物体の画像を受信するとともに、物体の受信画像から、たとえば物体の輪郭のような物体に関する情報、および／または、物体の特性に関する特徴を判定する判定装置を含む。
【００１０】
本発明の一実施形態においては、比較装置は、取込まれた物体の構造情報とデータベースの要素との比較を実行するとともに、比較が一致した場合には、物体が識別されたときに、識別された物体に関する少なくともメタ情報を重ね合わせ装置へ伝達する。
【００１１】
本発明の一実施形態においては、メタ情報を有するデータベースまたはメタ情報を有するデータベースの一部は、装置内の記憶媒体上に記憶される。
【００１２】
本発明の一実施形態においては、装置は、インターフェース、特に外部デジタル記憶媒体を接続するためのカードリーダを含む。ユーザに対するメモリのサイズを個別に調整するために、メタ情報を有するデータベースが、いつ交換可能な記憶媒体に少なくとも部分的に記憶されるかが有利な点である。
【００１３】
本発明の一実施形態においては、装置はフラッシュメモリを含み、比較装置は、データベースからの識別された要素をフラッシュメモリ内に記憶するとともに、それをフラッシュメモリ内に記憶したままにする。比較を実行する場合、好ましくは最初に、フラッシュメモリからの要素が実画像の構造情報と比較される。
【００１４】
本発明の一実施形態においては、装置は、ＧＰＳ装置または外部ＧＰＳ装置のための接続を含む。このように、ＧＰＳデータを通して物体の識別を容易にすることができる。有利なことに、画像の位置する座標も、追加的なメタ情報として画像に追加され得、その座標は画像表示装置上に表示され、および／または、画像とともに記憶され得る。
【００１５】
本発明の一実施形態においては、装置は、遠隔データ転送装置、特にインターネット接続を含む。したがって、ユニットは、インターネット接続を確立するとともにインターネット接続を終了するための装置を含む。比較装置は、取込画像または実画像に関する判定された構造情報を、インターネットサーバを通してソフトウェアへ転送し得、そのソフトウェアは、実画像からの構造情報を判定し、および／または、物体に関する判定された構造情報とインターネットサーバ上のデータベースからの要素との比較を実行する。
【００１６】
本発明の一実施形態においては、ユニットは、移動無線接続を確立および終了するための装置を含む。したがって、Ａ−ＧＰＳによるＧＰＳ位置決定は、移動無線検出を通して実行され得る。もちろん、移動無線接続は、インターネットサーバとの通信のためにも用いられ得る。
【００１７】
本発明の一実施形態においては、ユニットは画像を記憶するための装置を含み、１つの装置は、ユニットのメモリ内またはメモリカード上に、たとえば、Ｅｘｉｆ形式またはＤＣＦ形式で、あるいは、ＩＰＴＣ形式またはＸＭＰ形式で、識別された物体に関するメタ情報とともに取込画像を記憶する。記憶されたメタ情報は、ＰＣ上での画像およびビデオの後続の編集および操作を容易にする。
【００１８】
本発明の一実施形態においては、比較装置は、チップ上のユニット内に記憶され、データ処理装置によって実行される。
【００１９】
本発明の一実施形態においては、比較装置は、人認識および指紋比較のためのソフトウェアを含む。
【００２０】
本発明は、さらに、ユニット、特にデジタル双眼鏡、デジタルカメラ、またはデジタルビデオカメラの画像を取込みおよび表示するための方法を提供する。
【００２１】
したがって、本発明に従う方法は、
物体、特に、風景、山、建物、植物、または動物の画像を取込むステップと、
たとえば物体の輪郭のような取込まれた物体に関する構造情報、および／または、物体の特性に関する特徴を判定するステップと、
取込まれた物体に関する判定された構造情報を、名称および／または地理データのような、物体に関するメタ情報を含む要素を含むデータベースからの要素と比較するステップと、
比較が一致した場合に、データベースから、識別された物体に関する予め定められたメタ情報を取得するステップと、
データベースからのメタ情報を、画像表示装置に転送するステップと、
画像表示装置上に、取込まれた物体をメタ情報とともに重ね合わせるステップとを備える。
【００２２】
本発明の一実施形態においては、方法は、画像表示装置上の予め定められた固定された場所に、テキスト形式でメタ情報を重ね合わせるステップを含む。
【００２３】
本発明の代替的な実施形態においては、方法は、画像表示装置上の識別された物体上、または画像表示装置上の識別された物体に近接して、テキスト形式でメタ情報を重ね合わせるステップを含む。
【００２４】
本発明の一実施形態においては、方法は、カメラが移動したときまたは物体が移動したときに、テキストとして構成されたメタ情報が表示画像上の物体とともに移動するように、識別された物体に関するデータベースからのメタ情報の永久的な重ね合わせを含む。
【００２５】
本発明の一実施形態においては、方法は、フラッシュメモリ内へ、データベースの識別された要素を記憶するステップを含む。したがって、物体についての一旦識別されたデータベースからの要素は、永久的に、特にユニットの電源が切られるまで提供される。
【００２６】
本発明の一実施形態においては、方法は、表示画像を記憶するステップを含み、データベースからのメタ情報も記憶される。
【００２７】
本発明の一実施形態においては、方法は、インターネット接続を確立および停止するステップ、ならびに、実画像の構造情報を判定しおよび／または実画像の構造情報と強力なインターネットサーバ上のデータベースの要素とを比較するステップを含む。
【００２８】
引き続いて、本発明のさらに本質的な特徴を説明するために、本発明に従うユニットおよび本発明に従う方法の好ましい実施形態が、添付の図面を参照して説明される。
【図面の簡単な説明】
【００２９】
【図１】画像出力の例を伴う、本発明に従う装置の第１の実施形態を示す図である。
【図２】画像他の実施形態を伴う、本発明に従う装置の第２の実施形態を示す図である。
【図３】本発明に従う装置の一実施形態に従うブロック図である。
【発明を実施するための形態】
【００３０】
図１からわかるように、本発明に従う装置の第１の実施形態はデジタル双眼鏡に関し、装置は、レンズシステムとして構成される画像取込装置２を含む。双眼鏡の実施形態が示されているが、本発明はこれに限られず、単眼の望遠鏡にも関連し得る。デジタル双眼鏡１は、観察者がラバーコーティングされたアイシェル４に眼を直接当てる接眼レンズとして構成される画像表示装置３を含む。デジタル双眼鏡１は、押しボタン６として構成される入力装置５を含む。
【００３１】
山９を伴う山岳風景８が、画像表示装置３上に表示されたデジタル双眼鏡１の画像出力７の実施例として示され、山岳風景はデジタル双眼鏡１によって目標とされている。画像表示装置３上に、山９に関するメタ情報１０、この場合には山９の名称と高さが山岳風景８とともに重ね合わされている。メタ情報１０は固定された場所、すなわち、山９の観察者の視界が害されないように、画像出力７の下方端の例示的な態様で表示される。
【００３２】
特に有利な態様においては、本発明は、山岳風景８に関連して示され得るような観光用途において適用可能である。旅行者が、たとえばアルプスのような特定の領域に位置されており、デジタル双眼鏡で山９を目標としている。デジタル双眼鏡１は、方向および情報の目的のために用いられ得る山９の名前、ならびに、山の高さ、山脈の名前などのような任意的な追加の情報を重ね合わせる。
【００３３】
図１に従う実施形態においては、デジタル双眼鏡の判定装置は、空１２に対する山岳風景８の境界を意味する水平線１１を判定し、したがって、山の輪郭１３、すなわち同時に水平線１１の一部である山９の部分を判定する。山の輪郭１３は特有の地形、すなわち山９に関して典型的な上方に突出した山頂を有する。
【００３４】
引き続いて、山の輪郭１３は、デジタル双眼鏡１の比較装置によって、山の輪郭のデータベースからの要素と比較される。データベースは、名称および／または地形データのような山の輪郭に関連した、山の輪郭に関するメタ情報を受信する。
【００３５】
データベースの要素と山の輪郭１３とのいわゆるマッチングがとれた場合、つまり輪郭が一致して山が識別された場合は、デジタル双眼鏡１の重ね合わせ装置は、山９に関するメタ情報１０を実画像に重ね合わせる。比較装置は、さらに、継続的にメタデータ１０を重ね合わせ装置に提供するように、フラッシュメモリ内にメタデータ１０を記憶する。
【００３６】
本発明の実施形態に従うデジタル双眼鏡１のＧＰＳ装置によって、旅行者の位置している場所の座標が、予め提供され得る。したがって、データベース内の検索は、各座標についての特定の半径内に位置する要素に限定される。言い換えれば、山９についての検索は、ＧＰＳデータに従って、旅行者が位置している場所から見ることができるすべての山に限定され得る。
【００３７】
本発明に従う装置の第２の実施形態は、図２に示されるデジタルカメラ１４に関する。デジタルカメラ１４は、ズーム機能およびＣＣＤカメラを有するレンズシステムとして構成される画像取込装置１５を含む。デジタルカメラ１４は、さらに、デジタルカメラ１４の背面にディスプレイ（図示せず）として構成される画像表示装置１６を含む。ユーザは、デジタルカメラ１４における通常の調整を実行するための入力装置１７を通したオプションを有する。すなわち、当業者には公知であるように、たとえば、露出時間、フラッシュ、ポートレートや夜景などのような画像についての取込モードの設定が実行されるメニューが、ディスプレイ上に重ね合わせられる。
【００３８】
植物１９の画像がデジタルカメラ１４の画像出力１８の実施例として表わされており、植物は比較装置によって識別され、その名前がメタ情報２０として植物１９に近接して画像表示装置上に重ね合わせられている。さらに、左の端部に、典型的なメニュー設定２１すなわち、露出時間およびフラッシュについての設定を見ることができ、それらも植物１９の実画像とともに重ね合わせられている。
【００３９】
植物１９の構造情報の判定およびメタ情報２０の判定が、図１における山岳パノラマ８についてと同様に、引き続いて実行され得る。その代替として、比較装置は、植物１９についての判定された構造情報をインターネットサーバへ送信し、植物に関するデータが記憶されたインターネットサーバ上のデータベースからの要素と比較する。代替的な実施形態においては、比較装置は実画像全体を転送し、構造情報の判定もインターネットサーバ上で実行される。インターネットサーバは、マッチングがとれた場合には、メタ情報を比較装置に送信する。
【００４０】
図２に従う実施形態においては、植物１９に関する判定された構造情報は、画像表示装置１６上に植物１９に近接して植物１９の名前を提示するために再び用いられる。したがって、比較装置は、植物１９の外輪郭２２を認識するとともに、植物１９の識別された外輪郭２２の外側に名前を配置する。
【００４１】
典型的にユーザはデジタルカメラ１４またはデジタル双眼鏡１とともに動くので、物体の方向に向けている間、メタ情報１０，２０が物体に近接して画像表示装置３，１６上に表示されている場合、たとえば０．１秒から２秒の間の適切な画像表示周波数が、重ね合わせられたメタ情報１０，２０のために定義される。これにより、ユーザがテキストを読めなくなるようにするカメラの振動が平均化され得る。
【００４２】
もちろん、メタ情報１０，２０を表示する形式は、物体が識別されていることとは独立しており、植物の例においては、たとえば、ディスプレイの下方端のような、画像表示装置１６における固定された場所に、植物１９に関するメタ情報２０を配置することができ、山の例については、山の上にまたは山９に近接してメタ情報１０を配置することができる。
【００４３】
本発明の他の実施形態は、たとえば教会や街のような建物についての予め定められたデータを有するデータベースに関し、さらに、美術品、車両型式、または動物も、記載された態様で識別することができる。つまり、たとえば、特定の街または特定の地域の重要な建物が装置のメモリカード上に記憶され、メモリカードは、たとえば西アルプスや東アルプスなどの山岳地域または山脈の場合、植物または動物、つまり西ヨーロッパの動植物や東ヨーロッパの動植物の場合などに装置に挿入される。
【００４４】
本発明に従う装置は、図１および図２においては見えない追加的な要素を含み、図３におけるブロック図を参照して以下により詳細に説明する。同様の参照符号は、同様の機能を有する要素のために用いられる。
【００４５】
装置は画像処理装置２３を含む。これらは、特定の装置において、画像をより離散的にするためのものであり、これは、光強度を離散要素のアナログ電気信号に変換するための装置、およびデジタル化するための装置を意味し、これは数値化として符号化される、信号のアナログ−デジタル変換のための装置を意味する。画像処理装置２３は、たとえば赤外線センサのような追加的なセンサを通して取込まれた画像を処理するように構成され得る。
【００４６】
さらに、装置は、とりわけ取込画像を記憶するために用いられるインターネット記憶媒体２４と、たとえば、ＵＳＢ接続やブルートゥーストランシーバのような、それを通して記憶画像のＰＣへの転送および／またはソフトウェアのアップデートが実行され得るインポート／イクスポートインターフェース２５とを含む。
【００４７】
参照符号２６は、装置によって取込まれ得る外部デジタル記憶媒体２７についてのインターフェースを示す。外部デジタル記憶媒体は、たとえば交換可能なＣＤ−ＲＯＭや、ＣＦ，ＭＳ，ＭＭＣ，ＳＤ，ＸＭ，ｘＤの特定のタイプのメモリカードであり得る。この場合におけるユニットは、外部デジタル記憶媒体２７を読むための、カードリーダやＣＤ−ＲＯＭ読込ユニットを含むことが理解される。
【００４８】
外部デジタル記憶媒体２７および／または装置内蔵記憶媒体２４上に、データベース要素を伴うデータベースが記憶される。とりわけ、データベース要素は、特定の物体に関するメタ情報１０，２０を含む。その他に、データを記憶しかつ読出すことができるフラッシュメモリ２８、特にキャッシュメモリが設けられる。
【００４９】
さらに、ＧＰＳ信号を受信するための信号受信ユニット２９を含むＧＰＳ装置、および、信号受信ユニット２９によって受信されたＧＰＳ信号を処理するとともに装置の現在位置を演算する位置決定ユニット３０が設けられる。
【００５０】
さらに、装置は、無線／インターネットインターフェース３１、たとえば移動無線ネットワークへのアクセスを含む。無線／インターネットインターフェース３１は、強力なインターネットサーバを有する双方向通信リンクとして構成され得る。
【００５１】
無線／インターネットインターフェース３１を通して、ユニットの装置は、インターネットサーバと接続し、データベースをダウンロードするとともにそれをメモリ２４に書込むことができる。したがって、ユーザは、入力装置５，１７を通して、画像表示装置３，１６上に表示されたメニューによってダウンロードを選択し制御することができる。
【００５２】
さらに、データ処理装置３２が装置内に配置される。データ処理装置３２のためのソフトウェアは、特に比較装置３３および重ね合わせ装置３４を含み、装置におけるチップ上に記憶される。
【００５３】
次に、データ処理装置３２上の本発明に従うソフトウェアの特徴が説明される。
ソフトウェアは、まずユニットの従来的なデジタルメニューを含むとともに、ユニットの特定の要素、つまり、画像取込装置２，１５、画像処理装置２３、ＧＰＳ装置２９，３０、無線／インターネットインターフェース３１、インポート／イクスポートインターフェース２５、および記憶媒体２４，２７，２８へのアクセスを制御する。さらに、ソフトウェアはユーザによる入力にも対処する。
【００５４】
画像取込装置２，１５によって取込まれた実画像は、後続的に画像取込装置２，１５に接続される画像処理装置２３によって処理され、実画像は重ね合わせ装置３４を通して画像表示装置３，１６へ転送される。本発明に従うユニットは、本技術分野でよく知られているような、実画像の典型的な取込みおよび出力を容易にする。重ね合わせ装置３４は、実画像上にユーザメニューも重ね合わせることができる。また、ＧＰＳ装置２９，３０によって決定されたユニットの現在座標、および／または場所の名前も、重ね合わせ装置３４によって、画像表示装置３，１６上に表示することができる。重ね合わせ装置３４は、実画像が重ね合わせにより映えるように、いわゆるチャネル制御を通して重ね合わせの透明性を個別に制御することができる。
【００５５】
装置によって取込まれまたは受信された実画像は、データ処理装置３２によって処理されて、この目的のために、デジタル化の後に比較装置３３へ転送される。比較装置は、生体人認識および指紋識別のためのツールを有する判定装置を含む。
【００５６】
判定装置は、たとえば、外輪郭および／または物体の特性に関する特定の特徴のような、受信した実画像から実画像上の物体に関する構造情報を判定する。たとえば、コントラスト、輝度差、色範囲、および／または色変化が考慮され、および／または、デジタル化された実画像について波長解析や主要素解析のような複雑な演算が実行されるようなことが実行される。地理的配列、構造特定、および／または物体の形状に関する特徴が、実画像から抽出されることが必須である。物体は、引き続いて、画像内に配置され得る。
【００５７】
その後、比較装置３３は、構造的な特徴へのアクセスおよび有利な態様でのそれらの使用を容易にするために、判定された構造的な特徴を適当なデータ構造に書込む。
【００５８】
画像に何が示されているかを判定するために、比較装置３３は、データ構造に書込まれた構造的特徴をデータベースの要素と比較する。
【００５９】
それらが一致した場合には、比較装置３３は、データベースからの識別された要素をフラッシュメモリ２８に記憶し、それによって、識別された要素に関するメタ情報１０，２０が永久的にかつ迅速に提供される。
【００６０】
物体が識別されると、重ね合わせ装置３４は、データベースからのメタ情報１０，２０を取込画像と重ね合わせる。実画像がメタ情報１０，２０によって映えるように、メタ情報１０，２０の表示の透明性を制御することが可能である。メタ情報１０，２０を、ユーザの特定の要求があったときのみ表示することも可能である。
【図１】
2013511870.tif 000003
【図２】
2013511870.tif 000004
【図３】
2013511870.tif 000005
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
物体の画像を取込みかつ表示するためのデジタル双眼鏡（１）、デジタルビデオカメラであって、
物体についてのメタ情報（１０，２０）、特に、地理データ、および／または、風景や山脈もしくは建物の名前、または植物や動物の名前を含む要素を有するデータベースを含むデジタル記憶媒体（２４，２７）と、
比較装置（３３）と、
画像取込装置（２，１５）において取込まれた物体の関数として前記比較装置（３３）によって選択されたメタ情報（１０，２０）を画像表示装置（３，１６）内に重ね合わせるための重ね合わせ装置（３４）とを備える、装置。
【請求項２】
前記比較装置（３３）は、前記画像取込装置（２，１５）から物体の画像を受信するとともに、物体の受信画像から、たとえば物体の輪郭のような物体に関する情報、および／または、物体の特性に関する特徴を判定する判定装置を含む、請求項１に記載の装置。
【請求項３】
比較装置（３３）は、前記取込まれた物体の構造情報と前記データベースの要素との比較を実行するとともに、比較が一致した場合には、識別された物体に関する少なくともメタ情報（１０，２０）を、前記重ね合わせ装置（３４）へ伝達する、先行する請求項のいずれか１つに記載の装置。
【請求項４】
ユニットは、データベースが記憶された外部デジタル記憶媒体（２７）を接続するためのインターフェース（２６）を含む、先行する請求項のいずれか１つに記載の装置。
【請求項５】
ユニットは、フラッシュメモリセル（２８）を含む、先行する請求項のいずれか１つに記載の装置。
【請求項６】
前記装置は、ＧＰＳ装置（２９，３０）、または内部ＧＰＳ装置のための接続を含む、先行する請求項のいずれか１つに記載の装置。
【請求項７】
前記装置は、遠隔データ送信装置（３１）、特に、インターネット接続を含み、
前記装置は、インターネットサーバとのインターネット接続を確立するとともにインターネット接続を終了するための装置を含む、先行する請求項のいずれか１つに記載の装置。
【請求項８】
前記装置は、移動無線リンクを確立および終了するための装置（３１）を含む、先行する請求項のいずれか１つに記載の装置。
【請求項９】
前記装置は、前記メタ情報（１０，２０）とともに画像を記憶するための装置を含む、先行する請求項のいずれか１つに記載の装置。
【請求項１０】
前記比較装置（３３）は、チップ上のソフトウウェアとして前記装置内に記憶され、データ処理装置（３２）を通して実行される、先行する請求項のいずれか１つに記載の装置。
【請求項１１】
前記比較装置（３３）は、人認識または指紋比較のためのソフトウェアを含む、請求項１０に記載の装置。
【請求項１２】
デジタル双眼鏡（１）、またはデジタルビデオカメラを通して画像を取込んで表示するための方法であって、
物体、特に風景、山、建物、植物、または動物の画像を取込むステップと、
たとえば前記物体の輪郭のような前記取込まれた物体に関する構造情報、および／または、前記物体の特性に関する特徴を判定するステップと、
前記取込まれた物体に関する前記判定された構造情報を、名称および／または地理データのような、物体に関するメタ情報（１０，２０）を含む要素を含むデータベースからの要素と比較するステップと、
比較が一致した場合に、前記データベースから、認識された物体に関する予め定められたメタ情報（１０，２０）を取得するステップと、
前記データベースからの前記メタ情報（１０，２０）を、画像表示装置（３，１６）に転送するステップと、
前記画像表示装置（３，１６）上に、前記取込まれた物体を前記メタ情報（１０，２０）とともに重ね合わせるステップとを備える、方法。
【請求項１３】
前記メタ情報（１０，２０）を、前記画像表示装置（３，１６）上の特定の場所にテキスト形式で重ね合わせるステップをさらに備える、請求項１２に記載の方法。
【請求項１４】
前記画像表示装置（３，１６）上で、前記識別された物体上または前記識別された物体に近接して、テキスト形式で前記メタ情報（３，１６）を重ね合わせるステップをさらに備える、請求項１２に記載の方法。
【請求項１５】
一旦識別された物体に関する前記データベースからの要素が、永久的に、特に前記装置がスイッチオフされるまで提供されるように、フラッシュメモリ（２８）内に前記データベースの前記識別された要素を記憶するステップをさらに備える、請求項１２〜１４のいずれか１項に記載の方法。
【請求項１６】
前記装置の移動の間または前記物体の移動の間、テキストとしての前記メタ情報（１０，２０）が、表示画像上の前記物体とともに移動するように、前記メタ情報（１０，２０）は、前記データベースから前記識別された物体へ永久的に提供される、請求項１５に記載の方法。
【請求項１７】
表示画像を記憶するステップをさらに備え、
前記識別された物体の前記メタ情報（１０，２０）も記憶される、先行する請求項１２〜１６のいずれか１項に記載の方法。
【請求項１８】
インターネット接続を確立および終了するとともに、強力なインターネットサーバ上のデータベースの要素を用いて前記構造情報を判定および／または比較するステップをさらに備える、先行する請求項１２〜１７のいずれか１項に記載の方法。
【国際調査報告】
2013511870.tif 000006
2013511870.tif 000007
2013511870.tif 000008
2013511870.tif 000009
2013511870.tif 000010
2013511870.tif 000011